(57)【要約】【課題】エプロンを浴槽本体に取り付ける際に浴室の段差部だけでなく浴槽本体とも干渉し難くすること。【解決手段】浴槽本体６と、該浴槽本体６に取り付けられるエプロン７とを備え、エプロン７の下部を浴槽本体６側に引退させてある浴槽５であって、エプロン７を取り付けるときに浴槽本体６との干渉を避けるための干渉回避部１６をエプロン７の下端に設ける。【選択図】図３
2013118899.tif 000002
【特許請求の範囲】
【請求項１】
浴槽本体と、該浴槽本体に取り付けられるエプロンとを備え、該エプロンの下部を前記浴槽本体側に引退させてある浴槽であって、
前記エプロンを取り付けるときの前記浴槽本体との干渉を避けるための干渉回避部を前記エプロンの下端に設けてある浴槽。
【請求項２】
前記干渉回避部が、前記エプロン下端の底壁の一部を、前記浴槽本体の横幅よりも長く切り欠いて形成された切欠き部である請求項１に記載の浴槽。
【請求項３】
前記エプロンの上端が前記浴槽本体に係止され、前記エプロンの下端が前記浴槽本体に設けてある可撓性を有する支持部材で支持される請求項１又は２に記載の浴槽。
【請求項４】
浴槽本体と、該浴槽本体に取り付けられるエプロンとを備え、
該エプロンの下部を前記浴槽本体側に引退させてあり、前記浴槽本体と浴室の段差部との間に前記エプロンの下部を配置させる浴槽であって、
前記エプロンの下部が、前記浴槽本体に対して離間及び接近する方向にスライド移動可能である浴槽。
【請求項５】
前記エプロンの上端が前記浴槽本体に係止され、前記エプロンの下端が前記浴槽本体に設けてある可撓性を有する支持部材で支持され、該支持部材が前記浴槽本体に対して離間及び接近する方向に伸縮可能である請求項４に記載の浴槽。
【発明の詳細な説明】
【技術分野】
【０００１】
本発明は、浴槽本体と、該浴槽本体に取り付けられるエプロンとを備え、該エプロンの下部を前記浴槽本体側に引退させてある浴槽に関する。
【背景技術】
【０００２】
従来の浴槽としては、例えば、以下の特許文献１に記載されるものが知られている。ここでは、浴槽の洗い場面側に立設されるエプロンの下部が、浴室の段差部に干渉しないように浴槽設置面側へ段状に位置をずらせて垂下形成されている。
【先行技術文献】
【特許文献】
【０００３】
【特許文献１】特開２００２−３６９７５７号公報（図１参照）
【発明の概要】
【発明が解決しようとする課題】
【０００４】
特許文献１に記載される浴槽では、エプロンを浴槽本体に取り付けるときに、エプロンの下端に浴槽本体側に突出するように設けてある金具を、浴槽本体側に設けてある金具に差し込まなくてはならない。その際、浴槽本体と段差部との間の隙間が狭いと、エプロンを略縦にした状態で、エプロンの下部を浴槽本体と段差部との間の隙間に入り込ませなければならず、このときにエプロン側の金具が浴槽本体の側面に接触して浴槽本体及び浴槽本体に付属する部品等（水道配管係止部品やその配管等）に傷を付けてしまう虞がある。
本発明の目的は、エプロンを浴槽本体に取り付ける際に浴室の段差部だけでなく浴槽本体及び浴槽本体に付属する部品等とも干渉し難くすることにあり、さらにエプロン側に金具を取り付けないため、万が一、エプロンが接触した場合においても、浴槽本体及び浴槽本体に付属する部品等に傷を付け難くすることにある。
【課題を解決するための手段】
【０００５】
本発明における第一の浴槽の特徴構成は、浴槽本体と、該浴槽本体に取り付けられるエプロンとを備え、該エプロンの下部を前記浴槽本体側に引退させてある浴槽であって、前記エプロンを取り付けるときの前記浴槽本体との干渉を避けるための干渉回避部を前記エプロンの下端に設けてある点にある。
【０００６】
〔作用及び効果〕
例えば、本発明に係る浴槽の浴槽本体を、使用者が体を洗う洗い場との間に段差が設けられている浴槽設置場に設置した場合、エプロンを当該浴槽本体に取り付けるために浴槽本体と段差との間にエプロンの下部を入り込ませる必要がある。このとき、浴槽本体と段差との間の隙間が狭いと、エプロンを略縦にした状態でエプロンの下部を当該隙間に入り込ませなければならないが、本構成によれば、エプロンの下部を浴槽本体側に引退させてあるため、エプロンの下端が段差と接触し難く、さらに干渉回避部を設けてあるため、エプロンの下端が浴槽本体とも接触し難い。
【０００７】
本発明において、前記干渉回避部が、前記エプロン下端の底壁の一部を、前記浴槽本体の横幅よりも長く切り欠いて形成された切欠き部であることが好ましい。
【０００８】
〔作用及び効果〕
本構成のごとく、干渉回避部を、浴槽本体の横幅よりも長く切り欠いて形成された切欠き部で構成することによって、干渉回避部を簡素化することができる。
また、浴槽本体と段差との隙間がエプロンの底壁の幅よりも狭い場合でも、エプロンの底壁の切欠き部に浴槽本体の一部が入り込むように挿入させることで、エプロンの下端と浴槽本体との干渉を避けながらエプロンを取り付けることが可能となる。
【０００９】
本発明において、前記エプロンの上端が前記浴槽本体に係止され、前記エプロンの下端が前記浴槽本体に設けてある可撓性を有する支持部材で支持されることが好ましい。
【００１０】
〔作用及び効果〕
本構成によれば、エプロンが支持部材の弾性力によって上方に付勢されるため、エプロンの上端が浴槽本体に対してより強く係止し得、エプロンがより安定して確実に浴槽本体に固定される。
【００１１】
本発明における第二の浴槽の特徴構成は、浴槽本体と、該浴槽本体に取り付けられるエプロンとを備え、該エプロンの下部を前記浴槽本体側に引退させてあり、前記浴槽本体と浴室の段差部との間に前記エプロンの下部を配置させる浴槽であって、前記エプロンの下部が、前記浴槽本体に対して離間及び接近する方向にスライド移動可能である点にある。
【００１２】
〔作用及び効果〕
本構成によれば、エプロンを取り付ける際、エプロンの下部を前記浴槽本体側に引退させてあるため、エプロンの下端が段差部と接触することを回避することができる。さらに、エプロンの下部を、浴槽本体に対して離間及び接近する方向にスライド移動可能に構成してあるため、浴槽本体と浴室の段差部との間の隙間の大きさに合わせてエプロンの下部を移動させてエプロンと段差部との隙間を適度な状態に調整することができる。
【００１３】
本発明において、前記エプロンの上端が前記浴槽本体に係止され、前記エプロンの下端が前記浴槽本体に設けてある可撓性を有する支持部材で支持され、該支持部材が前記浴槽本体に対して離間及び接近する方向に伸縮可能であることが好ましい。
【００１４】
〔作用及び効果〕
本構成によれば、エプロンが支持部材の弾性力によって上方に付勢されるため、エプロンの上端が浴槽本体に対してより強く係止し得、エプロンがより安定して確実に浴槽本体に固定される。さらに、支持部材が浴槽本体に対して離間及び接近する方向に伸縮可能であるため、エプロン下部の移動に合わせて支持部材を伸縮させてエプロンの下端を確実に支持することができる。
【図面の簡単な説明】
【００１５】
【図１】本発明における第一の浴槽の実施形態に係る浴槽の浴室設置状態における側面図である。
【図２】第一の浴槽の実施形態に係る浴槽の正面図である。
【図３】第一の浴槽の実施形態に係る浴槽の分解斜視図（ａ）とエプロンの裏面の斜視図（ｂ）である。
【図４】第一の浴槽の実施形態に係るエプロンの上端付近を拡大した側面図である。
【図５】第一の浴槽の実施形態に係るエプロンの下端付近を拡大した側面図である。
【図６】第一の浴槽の実施形態に係るエプロンの側面図である。
【図７】第一の浴槽の実施形態に係るエプロンの平面図である。
【図８】エプロンの底壁における切欠き部のその他の形状を示す平面図である。
【図９】第一の浴槽の実施形態に係る支持部材を拡大した側面図である。
【図１０】支持部材のその他の形状を示す側面図である。
【図１１】第一の浴槽の実施形態に係るエプロンのその他の形状を示す側面図である。
【図１２】第一の浴槽の実施形態に係るエプロンのその他の形状を示す側面図である。
【図１３】本発明における第二の浴槽の実施形態に係る浴槽の浴室設置状態における側面図である。
【図１４】第二の浴槽の実施形態に係るエプロンの下端付近を拡大した側面図である。
【図１５】第二の浴槽の実施形態に係るエプロンの下端付近を拡大した側面図である。
【図１６】第二の浴槽の実施形態に係るエプロンのその他の形状を示す側面図である。
【図１７】第二の浴槽の実施形態に係るエプロンのその他の形状を示す側面図である。
【発明を実施するための形態】
【００１６】
〔第１実施形態〕
以下、本発明における第一の浴槽の実施形態を図面に基づいて説明する。尚、以下明細書中で幅方向Ｘ及び縦方向Ｙという場合はそれぞれ、図１の両矢印Ｘ方向及び両矢印Ｙ方向を指し、横方向Ｚという場合は図２の両矢印Ｚ方向を指すものとする。
【００１７】
（浴室）
図１に示すように、浴室１は、浴槽５を設置するための浴槽設置場２と、使用者が体を洗う洗い場３とを備える。浴槽設置場２と洗い場３との間には、水の流れをせき止めるための段差部４が設けられている。
【００１８】
本実施形態では、洗い場３の床面が浴槽設置場２の床面よりも高い位置に設定されており、さらに段差部４の上面が洗い場３の床面よりも高い位置に設定されているが、この構成に特に限定されるものではなく、浴槽設置場２の床面を洗い場３の床面よりも高い位置に設定したり、あるいは浴槽設置場２の床面と洗い場３の床面とを同じ高さに設定しても良い。また、洗い場３から浴槽設置場２への水の流れをせき止めるものではないが、浴槽設置場２が洗い場３に対して一段低くなるように段差部４を形成しても良い。即ち、段差部４の上面と洗い場３の床面とが同じ高さであって、浴槽設置場２の床面がこれより低く設定されている。
【００１９】
（浴槽）
図１〜図３に示すように、浴槽５は、お湯等を貯める浴槽本体６と、浴槽設置場２に設置された浴槽本体６の洗い場３の側の側面を覆うエプロン７（化粧板）とを備える。尚、エプロン７は、浴槽本体６から取り外し可能に嵌め込み固定される。
【００２０】
（浴槽本体）
本実施形態における浴槽本体６は、お湯等を貯める内側空間が略直方体形状を有する和式タイプのものを採用しているが、これに限らず、洋式タイプや、和洋折衷タイプのものを採用しても良い。
【００２１】
図４に示すように、浴槽本体６の上端には、水平方向に延出する上縁面８ａと該上縁面８ａの最外縁から垂下する折返し部８ｂとからなる外周フランジ部８が形成されている。外周フランジ部８の内部には、幅方向Ｘに沿って垂下する裏面リブ９が、外周フランジ部８の折返し部８ｂとの間に隙間Ｓ１を空けた状態で設けられている。
【００２２】
図５に示すように、浴槽本体６の底面６ａから垂下する底リブ１０が、平面視で長方形（図示せず）となるように底面６ａの縁全周に亘って設けられており、さらにその底リブ１０の四隅のそれぞれに円筒形状の脚部１１が設けられている。図１及び図２に示すように、浴槽５は、４本の脚部１１に支持された状態で浴室１の浴槽設置場２に設置される。
【００２３】
図１〜図３、図５に示すように、浴槽本体６の底リブ１０には、エプロン７の下端を支持するための支持部材１２が設けられている。
【００２４】
図５及び図９に示すように、支持部材１２は金属製の平板を折り曲げて成形された可撓性を有するスプリング式の金具であって、エプロン７の下端が配置される支持部１２ａ、山状に盛り上る隆起部１２ｂ、中間部１２ｃ、及び浴槽本体６の底リブ１０に固定される断面Ｌ字状の固定部１２ｄを備える。また、支持部１２ａには、エプロン７の下端の位置決めとなる凸部１３が設けられている。
【００２５】
支持部材１２を浴槽本体６に取り付ける際は、支持部材１２の固定部１２ｄを浴槽本体６の底リブ１０の外側面に設置すると共に、底リブ１０の内側面に断面がＬ字状の当て板１４を設置し、固定部１２ｄのボルト孔と、底リブ１０のボルト孔と、当て板１４のボルト孔とに亘るようにボルトＢ１を挿通してナットＮ１で締結する。このとき、図９の２点鎖線部分に示されるように、支持部材１２の支持部１２ａが幅方向Ｘにおいて浴槽本体６の外側に突出し、且つ水平方向よりも少し上向いた姿勢で固定される。
【００２６】
（エプロン）
図３（ａ），（ｂ）に示すように、エプロン７は、浴槽本体６の洗い場３側の側面を覆う長方形状の前壁７ａと、横方向Ｚにおける前壁７ａの両端に設けられる２つの側壁７ｂと、前壁７ａの下端に設けられる底壁７ｃと、前壁７ａの上端と２つの側壁７ｂの上端に亘って設けられる設置面７ｄと、設置面７ｄの内縁から上方に延出する平面視でコの字状の差込壁７ｅとを備える。このように、前壁７ａの周囲に側壁７ｂ、底壁７ｃ、設置面７ｄを設け、エプロン７の強度を高めるように構成されている。
【００２７】
図３（ｂ）及び図７に示すように、底壁７ｃには、その一部を横方向Ｚにおける浴槽本体６の横幅よりも少し長く切り欠いて形成した切欠き部１６（干渉回避部の一例）が設けられている。また底壁７ｃにおける切欠き部１６と前壁７ａとの間には、底壁７ｃの厚み方向に貫通する貫通孔１７が形成されている。この貫通孔１７は、浴槽本体６の下端に設けた支持部材１２の凸部１３が取り外し自在に嵌め込まれるように構成される。
【００２８】
図１、図３（ａ），（ｂ）及び図６に示すように、エプロン７は、第１垂下部Ａ１、屈曲部Ｃ、及び第２垂下部Ａ２が順に連設する形状を備える。図１に示すように、エプロン７を浴槽本体６に取り付けた際、第１垂下部Ａ１が上側となり浴槽本体６の外周フランジ部８から垂下し、その第１垂下部Ａ１の下端から所定の傾斜角度（好ましくは１０°〜９０°）で浴槽本体６側に屈曲して屈曲部Ｃが形成され、さらに屈曲部Ｃの下端から第２垂下部Ａ２が下方に延出する姿勢となる。
【００２９】
図２に示すように、横方向Ｚにおける第１垂下部Ａ１の両端には、作業者がエプロン７を浴槽本体６から着脱する際に把持する凹部１８が形成されている。エプロン７の両端にこの凹部１８を設けることによって、例えば、横方向Ｚにおける浴槽本体６の両側のすぐそばに浴室の壁がある場合でも、作業者がエプロン７の凹部１８のそれぞれに指を掛けてエプロン７を持つことができるため、取り付け及び取り外し作業がやり易い。
【００３０】
（エプロンの着脱操作）
エプロン７を浴槽本体６に取り付ける場合、作業者は第１垂下部Ａ１の凹部１８のそれぞれに手を掛けてエプロン７を両手で掴みながら、エプロン７の第２垂下部Ａ２を浴槽本体６と浴室１の段差部４との隙間Ｓ２に入り込ませて、エプロン７の底壁７ｃの貫通孔１７に浴槽本体６の支持部材１２の凸部１３を嵌め込み、エプロン７の底壁７ｃを支持部材１２の支持部に配置させる。次いで、エプロン７を支持部材１２の弾性力に抗して下方へ少し押下げた後、エプロン７の上端の差込壁７ｅを浴槽本体６の外周フランジ部８の中に差し込んで係止させることによって、エプロン７が浴槽本体６に固定される。
【００３１】
このとき、図４に示されるように、エプロン７の上端の差込壁７ｅが、浴槽本体６の裏面リブ９と、外周フランジ部８の折返し部８ｂとの間の隙間Ｓ１に入り込み、エプロン７の上端の設置面７ｄと浴槽本体６の折返し部８ｂの下端とが当接する。
【００３２】
そして、図５及び図９の実線部分に示されるように、エプロン７の底壁７ｃの切欠き部１６が支持部材１２の隆起部１２ｂに当接する。また、支持部材１２の支持部１２ａが略水平姿勢となるため、エプロン７は支持部材１２の弾性力によって上方に付勢された状態で固定される。
【００３３】
本構成によれば、エプロン７を浴槽本体６に取り付ける際、浴槽本体６と段差部４との間の隙間Ｓ２が狭い場合、エプロン７を略縦にした状態で、その第２垂下部Ａ２を隙間Ｓ２に入り込ませる必要があるが、第２垂下部Ａ２を浴槽本体６側に引退させてあるため、第２垂下部Ａ２が段差部４と接触し難く、さらに、エプロン７の底壁７ｃに切欠き部１６を設けてあるため、エプロン７の底壁７ｃが浴槽本体６の側面とも接触し難い。また、浴槽本体６と段差部４との間の隙間Ｓ２がエプロン７の底壁７ｃの幅よりも狭い場合でも、底壁７ｃの切欠き部１６に浴槽本体６の一部が入り込むようにエプロン７の下端を浴槽本体６に接近させることで隙間Ｓ２に挿入することができ、エプロン７の下端と浴槽本体６との接触を避けながらエプロン７を取り付けることができる。
【００３４】
尚、支持部材１２として、例えば、図１０に示すように、中間部１２ｃを備えていない形状を有するものを使用しても良い。しかし、浴槽本体６の幅方向Ｘにおける幅がより大きく設定されている場合（図１０の破線部分参照）、中間部１２ｃを備えていない支持部材１２では、本来ならもう少し上方に傾いた姿勢で取り付けられるものが（図１０の２点鎖線部分参照）、浴槽本体６と接触して（図１０の実線部分参照）、その弾性範囲が減少してしまう。
【００３５】
一方、図９に示すように、支持部材１２の隆起部１２ｂと固定部１２ｄとの間に中間部１２ｃを備えるものであれば、浴槽本体６の幅方向Ｘにおける幅がより大きく設定されている場合（図９の破線部分参照）においても、図１０に示す支持部材１２と比べて、浴槽本体６に設置したときに、支持部材１２と浴槽本体６とが接触し難くなるため（図９の２点鎖線部分参照）、支持部材１２の弾性力が保持されて、エプロン７が支持部材１２の弾性力によってより強く上方に付勢される。このため、エプロン７の上端の差込壁７ｅが、浴槽本体６の裏面リブ９と、外周フランジ部８の折返し部８ｂとの間の隙間Ｓ１により強く入り込み、エプロン７がより安定して確実に浴槽本体６に固定される。
【００３６】
エプロン７を浴槽本体６から取り外す場合、作業者は第１垂下部Ａ１の凹部１８のそれぞれに指を掛けてエプロン７を両手で掴みながら、エプロン７を支持部材１２の弾性力に抗して更に下方に押下げて、エプロン７の上端の差込壁を浴槽本体６の外周フランジ部８から外す。次いで、エプロン７をその上端側ほど浴槽本体６から離れるように少し傾斜させて、エプロン７を上方に引き上げることによって取り外すことができる。
【００３７】
〔第２実施形態〕
以下、本発明における第二の浴槽の実施形態を図面に基づいて説明するが、上記第１実施形態と共通する構成については同じ符号を付して説明を省略し、異なる構成についてのみ説明する。
【００３８】
（エプロン）
図１３〜図１５に示すように、本実施形態におけるエプロン７は、第１垂下部Ａ１、屈曲部Ｃ、及び第２垂下部Ａ２を備えるところは上述の第１実施形態と変わるところはないが、２部材で構成されており、エプロン７の下部が、浴槽本体６に対して離間及び接近する方向にスライド移動可能に構成されている点が異なる。
【００３９】
即ち、本実施形態におけるエプロン７は、第１垂下部Ａ１と屈曲部Ｃとを有する上側部材Ｕ、及び第２垂下部Ａ２を有する下側部材Ｄを備えて構成される。
【００４０】
上側部材Ｕの屈曲部Ｃは、第１垂下部Ａ１の下端から浴槽本体６側に直角に屈曲しており、屈曲部Ｃの側壁７ｂには、前壁７ａに対して垂直に交わる方向に延びる２つのガイド孔１９（長孔）が上下に並んで形成されている。
【００４１】
下側部材Ｄは、第２垂下部Ａ２の上端から浴槽本体６外側に直角に屈曲する突出部Ｐを備え、突出部Ｐの側壁７ｂには、２つのボルト挿通孔（図示せず）が上下方向に並んで形成されている。
【００４２】
下側部材Ｄの突出部Ｐは、上側部材Ｕの屈曲部Ｃの内側に嵌め込み可能に設計されている。下型部材の突出部Ｐを、上側部材Ｕの屈曲部Ｃの底壁７ｃの上に配置すると、上側部材Ｕの屈曲部Ｃの２つのガイド孔１９のそれぞれの位置に、下側部材Ｄの突出部Ｐの側壁７ｂの２つのボルト挿通孔（図示せず）のそれぞれが配置される。そして、ボルトＢ２をボルト挿通孔とガイド孔１９とに亘るように挿通してナットＮ２で締結すると、下側部材Ｄが、上側部材Ｕの屈曲部Ｃに対して、ガイド孔１９に沿って幅方向Ｘにスライド移動可能に固定される。
【００４３】
（支持部材）
図１３〜図１５に示すように、浴槽本体６の底リブ１０には、エプロン７の下端を支持するための支持部材１２が設けられている。
【００４４】
本実施形態における支持部材１２は、スプリング式の金具であることは上述の第１実施形態と変わるところはないが、２部材で構成されており、浴槽本体６に対して離間及び接近する方向に伸縮可能に構成されている点が異なる。即ち、本実施形態における支持部材１２は、エプロン７の下端が配置される支持部１２ａと山状に盛り上る隆起部１２ｂと中間部１２ｃとを有するスライド部材２０、及び浴槽本体６の底リブ１０に固定されるクランク状に折り曲げられた固定部材２１を備えて構成される。
【００４５】
スライド部材２０の中間部１２ｃには、その厚み方向に貫通させた状態でボルトＢ３が設けられており、固定部材２１の延出部２１ａには、長手方向に沿って長孔（図示せず）が形成されている。スライド部材２０のボルトＢ３を固定部材２１の延出部２１ａの長孔に挿通させた状態で、スライド部材２０の中間部１２ｃを固定部材２１の延出部２１ａの上に配置させ、下からナットＮ３で締結する。これにより、スライド部材２０が固定部材２１に対して、その長孔に沿って幅方向Ｘにスライド移動可能に固定される。
【００４６】
上記構成より、本実施形態におけるエプロン７では、下側部材Ｄが浴槽本体６に対して離間及び接近する方向にスライド移動可能に構成されているため、浴槽本体６と段差部４との間の隙間Ｓ２の大きさに応じて、幅方向Ｘにおける下側部材Ｄの位置を調節することができる。例えば、図１４に示すように、隙間Ｓ２の幅が大きい場合には、上側部材Ｕの屈曲部Ｃの前壁７ａと、下側部材Ｄの突出部Ｐの前壁７ａとが互いに近接するように下側部材Ｄをスライド移動させると共に、支持部材１２のスライド部材２０についても浴槽本体６の外側にスライド移動させれば良い。一方、図１５に示すように、隙間Ｓ２の幅が小さい場合には、上側部材Ｕの屈曲部Ｃの前壁７ａと、下側部材Ｄの突出部Ｐの前壁７ａとが互いに離間するように下側部材Ｄをスライド移動させると共に、支持部材１２のスライド部材２０についても浴槽本体６の側にスライド移動させれば良い。
【００４７】
従って、本実施形態におけるエプロン７によれば、浴槽本体６と段差部４との間の隙間Ｓ２の幅が大きい場合は、その隙間Ｓ２をできるだけ埋めるように設置することができ、さらに隙間Ｓ２の幅が小さい場合も、確実にエプロン７の下端を隙間Ｓ２に入り込ませて設置することができる。
【００４８】
〔その他の実施形態〕
（１）上述の第１実施形態において、図８に示すように、エプロン７の底壁７ｃにおける切欠き部１６のその他の形状としては、例えば、図８（ａ）に示すように外側ほど幅広となるような形状や、図８（ｂ）、（ｃ）に示すようにより大きな幅を有する形状や、図８（ｄ）に示すように緩やかなテーパー面１６ａを有する形状や、あるいは図８（ｅ）に示すようにエプロン７の２つの側壁７ｂに亘る部分全てを切欠いた形状としても良い。
【００４９】
（２）上述の第１実施形態において、エプロン７の側壁７ｂのその他の形状としては、例えば、図１１（ａ）〜（ｄ）に示すようなものが挙げられる。また、エプロン７の屈曲部Ｃについても、例えば図１２（ａ）〜（ｄ）に示すように、第１垂下部Ａ１の下端から直角に屈曲している形状としても良い。
【００５０】
（３）上述の第２実施形態において、エプロン７のその他の形状としては、例えば図１６に示すように、下側部材Ｄの突出部Ｐと、上側部材Ｕの屈曲部Ｃの底壁７ｃとをより小さく設定したものや、あるいは、図１７に示すように、下側部材Ｄの突出部Ｐと、上側部材Ｕの屈曲部Ｃの底壁７ｃとを備えていない構成としても良い。また図示しないが、下側部材Ｄの底壁７ｃに切欠き部１６を設けない構成としても良い。
【００５１】
（４）上述の第２実施形態において、エプロン７と支持部材１２がスライド移動可能な構成である形態を示したが、エプロン７と支持部材１２の何れか一方がスライド移動可能な構成としても良い。
【産業上の利用可能性】
【００５２】
本発明は、エプロン着脱式の浴槽に好適に利用することができる。
【符号の説明】
【００５３】
１  浴室
２  浴槽設置場
３  洗い場
４  段差部
５  浴槽
６  浴槽本体
６ａ  底面
７  エプロン
７ａ  前壁
７ｂ  側壁
７ｃ  底壁
７ｄ  設置面
７ｅ  差込壁
８  外周フランジ部
８ａ  上縁面
８ｂ  折返し部
９  裏面リブ
Ｓ１〜２  隙間
１０  底リブ
１１  脚部
１２  支持部材
１２ａ  支持部
１２ｂ  隆起部
１２ｃ  中間部
１２ｄ  固定部
１３  凸部
１４  当て板
Ｂ１〜３  ボルト
Ｎ１〜３  ナット
１６  切欠き部（干渉回避部）
１７  貫通孔
Ａ１  第１垂下部
Ｃ  屈曲部
Ａ２  第２垂下部
１８  凹部
Ｕ  上側部材
Ｄ  下側部材
１９  ガイド孔
Ｐ  突出部
２０  スライド部材
２１  固定部材
２１ａ  延出部
【図１】
2013118899.tif 000003
【図２】
2013118899.tif 000004
【図３】
2013118899.tif 000005
【図４】
2013118899.tif 000006
【図５】
2013118899.tif 000007
【図６】
2013118899.tif 000008
【図７】
2013118899.tif 000009
【図８】
2013118899.tif 000010
【図９】
2013118899.tif 000011
【図１０】
2013118899.tif 000012
【図１１】
2013118899.tif 000013
【図１２】
2013118899.tif 000014
【図１３】
2013118899.tif 000015
【図１４】
2013118899.tif 000016
【図１５】
2013118899.tif 000017
【図１６】
2013118899.tif 000018
【図１７】
2013118899.tif 000019